(57)【要約】【課題】外出時、特に自動車又は自転車の運転をしているときに、顔面の日焼けを抑制することが可能な顔面遮光布付き帽子を提供する。【解決手段】顔面遮光布１１と、顔面遮光布１１を装着した帽子部１とを備え、顔面遮光布１１が、それぞれの一の辺を対向させた状態で互いに間隔を開けて配置される２枚の頬布１２、２枚の頬布１２の間に、上端部が２枚の頬布１２の上端部１８に接続されて配設された一方向に長い鼻上布１３、及び、２枚の頬布１２のそれぞれの上端部１８に配設された貼付部（遮光布側貼付部）２０を有し、帽子部１が、遮光布側貼付部２０を着脱自在に貼り付けることが可能な貼付部（帽子側貼付部）２を両側頭部分３に有し、２つの帽子側貼付部２のそれぞれに２つの遮光布側貼付部２０が１つずつ貼り付けられて帽子部１に顔面遮光布１１が装着されてなる顔面遮光布付き帽子１００。【選択図】図１
0003112416.tif 000002
【実用新案登録請求の範囲】
【請求項１】
顔面遮光布と、前記顔面遮光布を装着した帽子部とを備え、
前記顔面遮光布が、それぞれの一の辺を対向させた状態で互いに間隔を開けて配置される２枚の頬布、２枚の前記頬布の間に、上端部が２枚の前記頬布の上端部に接続されて配設された一方向に長い鼻上布、及び、２枚の前記頬布のそれぞれの上端部に配設された貼付部（遮光布側貼付部）を有し、
前記帽子部が、前記遮光布側貼付部を着脱自在に貼り付けることが可能な貼付部（帽子側貼付部）を両側頭部分に有し、
２つの前記帽子側貼付部のそれぞれに２つの前記遮光布側貼付部が１つずつ貼り付けられて前記帽子部に前記顔面遮光布が装着されてなる顔面遮光布付き帽子。
【請求項２】
前記顔面遮光布が、２枚の前記頬布のそれぞれの上端部及び前記鼻上布の上端部からなる遮光布上端部に配設される帯状の上端補強部を更に備える請求項１に記載の顔面遮光布付き帽子。
【請求項３】
前記遮光布上端部が、その中央部が凹むように湾曲した形状である請求項１又は２に記載の顔面遮光布付き帽子。
【請求項４】
２つの前記遮光布側貼付部の色がそれぞれ異り、２つの前記帽子側貼付部の色がそれぞれ貼り付けられる前記遮光布側貼付部の色と同じである請求項１〜３のいずれかに記載の顔面遮光布付き帽子。
【請求項５】
前記帽子部が、全周鍔付きである請求項１〜４のいずれかに記載の顔面遮光布付き帽子。
【請求項６】
前記帽子側貼付部及び前記遮光布側貼付部がメカニカルファスナーである請求項１〜５のいずれかに記載の顔面遮光布付き帽子。
【請求項７】
前記頬布及び鼻上布が紫外線カット加工された布である請求項１〜６のいずれかに記載の顔面遮光布付き帽子。
【請求項８】
前記遮光布側貼付部が、前記頬布の上端部に沿う方向の長さが１〜１０ｃｍであり、前記頬布の上端部と直交する方向の長さが０．５〜４ｃｍである請求項１〜７のいずれかに記載の顔面遮光布付き帽子。
【請求項９】
一方の前記頬布の下端部における鼻上布に接する側に対して反対側の端部（外側端部）にボタンが装着され、他方の前記頬布の下端部における鼻上布に接する側に対して反対側の端部（外側端部）に前記ボタンを留めることができる孔が形成されるか又はループ状の紐が装着されてなる請求項１〜８のいずれかに記載の顔面遮光布付き帽子。
【請求項１０】
前記顔面遮光布が２本の紐を有し、前記２本の紐のそれぞれの一方の端部が前記鼻上布の上端部に接続されてなる請求項１〜９のいずれかに記載の顔面遮光布付き帽子。
【請求項１１】
それぞれの一の辺を対向させた状態で互いに間隔を開けて配置される２枚の頬布、２枚の前記頬布の間に、上端部が２枚の前記頬布の上端部に接続されて配設された一方向に長い鼻上布、及び、２枚の前記頬布のそれぞれの上端部に配設された貼付部（遮光布側貼付部）を有する顔面遮光布。
【請求項１２】
２枚の前記頬布のそれぞれの上端部及び前記鼻上布の上端部からなる遮光布上端部に配設される帯状の上端補強部を更に備える請求項１１に記載の顔面遮光布。
【請求項１３】
前記遮光布上端部が、その中央部が凹むように湾曲した形状である請求項１１又は１２に記載の顔面遮光布。
【請求項１４】
前記頬布及び鼻上布が紫外線カット加工された布である請求項１１〜１３のいずれかに記載の顔面遮光布。
【請求項１５】
前記遮光布側貼付部が、前記頬布の上端部に沿う方向の長さが１〜１０ｃｍであり、前記頬布の上端部と直交する方向の長さが０．５〜４ｃｍである請求項１１〜１４のいずれかに記載の顔面遮光布。
【請求項１６】
一方の前記頬布の下端部における鼻上布に接する側に対して反対側の端部（外側端部）にボタンが装着され、他方の前記頬布の下端部における鼻上布に接する側に対して反対側の端部（外側端部）に前記ボタンを留めることができる孔が形成されるか又はループ状の紐が装着されてなる請求項１１〜１５のいずれかに記載の顔面遮光布。
【請求項１７】
前記顔面遮光布が２本の紐を有し、前記２本の紐のそれぞれの一方の端部が前記鼻上布の上端部に接続されてなる請求項１１〜１６のいずれかに記載の顔面遮光布。
【考案の詳細な説明】
【技術分野】
【０００１】
本考案は、顔面遮光布付き帽子及び顔面遮光布に関する。さらに詳しくは、外出時に顔面の日焼けを防止することが可能な顔面遮光布付き帽子及び顔面遮光布に関する。
【背景技術】
【０００２】
従来、外出時の顔面の日焼けは、日傘を使用したり、鍔の大きな帽子やサンバイザーにより防止しようとしていた。しかし、これらの方法では十分には顔面に照射される太陽光を防ぐことはできなかった。特に、自動車又は自転車の運転をする場合には日傘などは使用できず、また、帽子等の鍔も大きなものとはし難いものであり、特に日焼けを防止し難い状況であった。
【考案の開示】
【考案が解決しようとする課題】
【０００３】
本考案は、上述した問題に鑑みてなされたものであり、外出時、特に自動車又は自転車の運転をしているときに、顔面の日焼けを防止することが可能な顔面遮光布付き帽子及び顔面遮光布を提供する。
【課題を解決するための手段】
【０００４】
上記課題を達成するため、本考案によって以下の顔面遮光布付き帽子及び顔面遮光布が提供される。
【０００５】
［１］顔面遮光布と、前記顔面遮光布を装着した帽子部とを備え、前記顔面遮光布が、それぞれの一の辺を対向させた状態で互いに間隔を開けて配置される２枚の頬布、２枚の前記頬布の間に、上端部が２枚の前記頬布の上端部に接続されて配設された一方向に長い鼻上布、及び、２枚の前記頬布のそれぞれの上端部に配設された貼付部（遮光布側貼付部）を有し、前記帽子部が、前記遮光布側貼付部を着脱自在に貼り付けることが可能な貼付部（帽子側貼付部）を両側頭部分に有し、２つの前記帽子側貼付部のそれぞれに２つの前記遮光布側貼付部が１つずつ貼り付けられて前記帽子部に前記顔面遮光布が装着されてなる顔面遮光布付き帽子。
【０００６】
［２］前記顔面遮光布が、２枚の前記頬布のそれぞれの上端部及び前記鼻上布の上端部からなる遮光布上端部に配設される帯状の上端補強部を更に備える［１］に記載の顔面遮光布付き帽子。
【０００７】
［３］前記遮光布上端部が、その中央部が凹むように湾曲した形状である［１］又は［２］に記載の顔面遮光布付き帽子。
【０００８】
［４］２つの前記遮光布側貼付部の色がそれぞれ異り、２つの前記帽子側貼付部の色がそれぞれ貼り付けられる前記遮光布側貼付部の色と同じである［１］〜［３］のいずれかに記載の顔面遮光布付き帽子。
【０００９】
［５］前記帽子部が、全周鍔付きである［１］〜［４］のいずれかに記載の顔面遮光布付き帽子。
【００１０】
［６］前記帽子側貼付部及び前記遮光布側貼付部がメカニカルファスナーである［１］〜［５］のいずれかに記載の顔面遮光布付き帽子。
【００１１】
［７］前記頬布及び鼻上布が紫外線カット加工された布である［１］〜［６］のいずれかに記載の顔面遮光布付き帽子。
【００１２】
［８］前記遮光布側貼付部が、前記頬布の上端部に沿う方向の長さが１〜１０ｃｍであり、前記頬布の上端部と直交する方向の長さが０．５〜４ｃｍである［１］〜［７］のいずれかに記載の顔面遮光布付き帽子。
【００１３】
［９］一方の前記頬布の下端部における鼻上布に接する側に対して反対側の端部（外側端部）にボタンが装着され、他方の前記頬布の下端部における鼻上布に接する側に対して反対側の端部（外側端部）に前記ボタンを留めることができる孔が形成されるか又はループ状の紐が装着されてなる［１］〜［８］のいずれかに記載の顔面遮光布付き帽子。
【００１４】
［１０］前記顔面遮光布が２本の紐を有し、前記２本の紐のそれぞれの一方の端部が前記鼻上布の上端部に接続されてなる［１］〜［９］のいずれかに記載の顔面遮光布付き帽子。
【００１５】
［１１］それぞれの一の辺を対向させた状態で互いに間隔を開けて配置される２枚の頬布、２枚の前記頬布の間に、上端部が２枚の前記頬布の上端部に接続されて配設された一方向に長い鼻上布、及び、２枚の前記頬布のそれぞれの上端部に配設された貼付部（遮光布側貼付部）を有する顔面遮光布。
【００１６】
［１２］２枚の前記頬布のそれぞれの上端部及び前記鼻上布の上端部からなる遮光布上端部に配設される帯状の上端補強部を更に備える［１１］に記載の顔面遮光布。
【００１７】
［１３］前記遮光布上端部が、その中央部が凹むように湾曲した形状である［１１］又は［１２］に記載の顔面遮光布。
【００１８】
［１４］前記頬布及び鼻上布が紫外線カット加工された布である［１１］〜［１３］のいずれかに記載の顔面遮光布。
【００１９】
［１５］前記遮光布側貼付部が、前記頬布の上端部に沿う方向の長さが１〜１０ｃｍであり、前記頬布の上端部と直交する方向の長さが０．５〜４ｃｍである［１１］〜［１４］のいずれかに記載の顔面遮光布。
【００２０】
［１６］一方の前記頬布の下端部における鼻上布に接する側に対して反対側の端部（外側端部）にボタンが装着され、他方の前記頬布の下端部における鼻上布に接する側に対して反対側の端部（外側端部）に前記ボタンを留めることができる孔が形成されるか又はループ状の紐が装着されてなる［１１］〜［１５］のいずれかに記載の顔面遮光布。
【００２１】
［１７］前記顔面遮光布が２本の紐を有し、前記２本の紐のそれぞれの一方の端部が前記鼻上布の上端部に接続されてなる［１１］〜［１６］のいずれかに記載の顔面遮光布。
【考案の効果】
【００２２】
本考案の顔面遮光布付き帽子は、帽子部に顔面遮光布が装着されているため、顔面遮光布付き帽子を被った使用者の顔面部分が顔面遮光布により覆われ、日焼けを防止することが可能となる。また、帽子部と顔面遮光布とは着脱自在に接続されているため、晴れているときには顔面遮光布を装着し、太陽光が強く照射されないときには顔面遮光布を取り外して帽子部だけで使用することも可能である。また、２枚の頬布とその間に配置される鼻上布とがそれぞれの上端部で接続されているため、顔面遮光布付き帽子を使用者が装着し、顔面遮光布が使用者の顔面を覆った状態にしたときに、鼻上布が使用者の鼻の上に位置するようになり、鼻の突出状態に合わせて鼻上布が持ち上がり、頬布と鼻上布との間に隙間をつくることが可能となる。これにより、使用者が呼吸するときに、吸い込む空気をこの隙間を通して顔面遮光布の外側から流入させ、吐き出す空気をこの隙間を通して顔面遮光布の外側に排出することが可能となる。そのため、顔面遮光布の内側に熱や水分が滞留することを防止でき、また、眼鏡を装着する場合には眼鏡の曇りを防止することも可能になる。
【００２３】
本考案の顔面遮光布は、上記本考案の顔面遮光布付き帽子に使用される顔面遮光布であるため、帽子やサンバイザーに装着して使用することにより、上述の効果を得ることが可能となる。
【考案を実施するための最良の形態】
【００２４】
以下、本考案の顔面遮光布付き帽子及び顔面遮光布の実施の形態を、図面を参照しながら詳細に説明するが、本考案は、これに限定されて解釈されるものではなく、本考案の範囲を逸脱しない限りにおいて、当業者の知識に基づいて、種々の変更、修正、改良を加え得るものである。
【００２５】
図１（ａ）、図１（ｂ）は、本考案の顔面遮光布付き帽子を、顔面遮光布と帽子部とに分離した状態で模式的に示したものであり、図１（ａ）は帽子部を示す正面図、図１（ｂ）は顔面遮光布の表面を示す平面図である。
【００２６】
図１（ａ）、図１（ｂ）に示すように、本実施の形態の顔面遮光布付き帽子は、顔面遮光布１１（図１（ｂ）参照。）と帽子部１（図１（ａ）参照。）とを備えるものである。
【００２７】
図１（ｂ）に示す顔面遮光布１１は、２枚の頬布１２とその間に配設される長方形の鼻上布１３と２枚の頬布１２のそれぞれの上端部１８に配設される貼付部（遮光布側貼付部）２０を有するものである。２枚の頬布１２は、それぞれの一の辺を対向させた状態で互いに間隔を開けて配置されている。長方形の鼻上布１３は、その上端部（鼻上布の上端部１９）が２枚の頬布１２の上端部１８に接続されている。更に詳細には、長方形の鼻上布１３は、一の長辺（鼻上布の長辺）１５が一方の頬布１２の一の辺（頬布の一の辺）１４に沿い、他の長辺１５が他方の頬布の一の辺１４に沿うようにして２枚の頬布１２の間に配置されている。そして、頬布１２と鼻上布１３とは、鼻上布１３の２つの長辺１５の一方の端部（鼻上布の長辺の上端部）１７が２枚の頬布１２の一の辺１４の上端部（頬布の一の辺の上端部）１６に接続されている。本実施の形態においては、鼻上布１３は長方形であるが、一の方向に長い布であればよく、台形状、長円状、多角形状、又はその他の形状であってもよい。例えば、一の辺が波状になっていてもよい。この場合、鼻上布の長辺方向というときは鼻上布の長手方向をいう。
【００２８】
図２（ａ）、図２（ｂ）は、本考案の顔面遮光布付き帽子１００を、使用者に装着した状態を示す模式図であり、図２（ａ）は側面図、図２（ｂ）は正面図である。
【００２９】
図２（ａ）、図２（ｂ）に示すように、帽子部１と顔面遮光布１１とは、帽子側貼付部２に遮光布側貼付部２０を貼り付けることにより接続されている。そして、顔面遮光布付き帽子１００を使用者に装着する場合には、帽子部１の前頭部４を使用者の前頭部側（顔が向いている方向）に向け、顔面遮光布１１の鼻上布１３が使用者の鼻の上にかかるように装着する。この場合、顔面遮光布１１は、図１（ｂ）で示される顔面遮光布１１の表面側が外側を向くように装着する。また、視界をさえぎらない範囲で顔面の露出する部分を少なくするように顔面遮光布１１を取り付けることが好ましい。
【００３０】
このように、顔面遮光布付き帽子１００を装着すると、顔面遮光布付き帽子１００を被った使用者の耳を含めた顔面部分が顔面遮光布１１により覆われ、日焼けを防止することが可能となる。また、２枚の頬布１２とその間に配置される鼻上布１３とがそれぞれの上端部で接続されているため、図２（ａ）に示すように、顔面遮光布付き帽子１００を使用者が装着し、顔面遮光布１１が使用者の顔面を覆った状態にしたときに、鼻上布が使用者の鼻の上に位置するようになり、鼻の突出状態に合わせて鼻上布１３が持ち上がり、頬布１２と鼻上布１３との間に隙間（頬布と鼻上布との間の隙間）４１をつくることが可能となる。これにより、使用者が呼吸するときに、吸い込む空気をこの頬布と鼻上布との間の隙間４１を通して顔面遮光布１１の外側から流入させ、吐き出す空気をこの頬布と鼻上布との間の隙間４１を通して顔面遮光布１１の外側に排出することが可能となる。このように呼吸時の空気の流れを良好にすることができるため、顔面遮光布１１の内側に熱や水分が滞留することを防止でき、また、眼鏡を装着する場合には眼鏡の曇りを防止することも可能になる。また、帽子部１と顔面遮光布１１とは着脱自在に接続されているため、晴れているときには顔面遮光布１１を装着し、太陽光が強く照射されないときには顔面遮光布１１を取り外して帽子部１だけで使用することも可能である。また、顔面遮光布付き帽子１００を使用者が装着したときに、鼻上布１３が十分には持ち上がらずに、頬布と鼻上布との間の隙間４１は大きくは形成されない場合も考えられるが、この場合においても、頬布１２と鼻上布１３との間は完全に閉じることはなく小さくても隙間４１が形成され、呼吸による空気の流れを形成することが可能である。
【００３１】
図１（ｂ）に示すように、顔面遮光布１１は、２枚の頬布１２のそれぞれの上端部１８及び鼻上布１３の上端部１９からなる遮光布上端部２１に配設される帯状の上端補強部２２を更に備えることが好ましい。これにより、顔面遮光布の形状を安定化させ、顔面遮光布付き帽子を装着したときに、顔面遮光布が使用者の顔面に安定して配置させることが可能となる。尚、本実施の形態において、「頬布の上端部１８に貼付部（遮光布側貼付部）２０が配設される」というときは、頬布の上端部１８に直接遮光布側貼付部２０が配設されている場合だけでなく、図１（ｂ）に示すように上端補強部２２に配設されている場合や、頬布の上端部１８と上端補強部２２の両方にまたがって配設されている場合も含まれる。なかでも、遮光布側貼付部２０が上端補強部２２上に配設されていることが、安定的に取り付けられ、取り扱い易い点で好ましい。
【００３２】
上端補強部２２の幅は、０．５〜４ｃｍであることが好ましく、１〜３．５ｃｍであることが更に好ましく、２〜３ｃｍであることが特に好ましい。０．５ｃｍより短いと補強の役割を果たし難いことがあり、４ｃｍより長いと鼻の上で負担になることがあり、また呼吸時の空気の流れが良好になり難いことがある。
【００３３】
上端補強部２２の色は、黒色、又はその他の色についての暗色であることが好ましい。これにより、紫外線の反射を少なくし、使用者の「目」の周囲の僅かに露出した部分の日焼けを抑制することが可能となる。ここで、暗色とは、可視光線だけでなく紫外線をも吸収し易い暗い色をいう。黒色以外の色としては、青色、紺色、紫色、茶色、緑色、赤色等を使用することができる。
【００３４】
上端補強部２２の材質は、綿１００％であることが特に好ましい。これにより、肌に優しく、紫外線を良好に遮光し、更に通気性を良好にすることが可能となる。また、上端補強部２２の材質としては、綿１００％に限定されずに、綿と他の繊維との混紡であってもよい。他の繊維としては、麻、ナイロン、ポリエステル等を使用することができる。この場合、綿の使用割合は、多いほど好ましく、５０％以上であることが好ましい。また、上端補強部２２を遮光布上端部２１に取り付けるときには、上端補強部２２を遮光布上端部２１に縫い付けてもよいし、接着剤により貼り付けてもよい。接着剤としては、ホットメルト型の接着剤等を使用することができる。
【００３５】
図１（ｂ）に示すように、顔面遮光布１１は、遮光布上端部１８が、その中央部が凹むように湾曲する形状であることが好ましい。そして、この湾曲は、鼻上布の上端部１９が凹み（遮光布上端部の凹み）４２の底に位置するように形成されていることがさらに好ましい。ここで、遮光布上端部１８の中央部が凹むとは、遮光布上端部１８の両端部から中央方向に向かって凹み、中央付近が凹みの底を形成する状態をいう。湾曲の仕方としては、図１（ｂ）に示すように、遮光布上端部１８全体が、なだらかに円弧を描くように曲がっていてもよいし、中央部付近だけが凹んだ（切り取られた）形状であってもよい。鼻上布の上端部１９は、顔面遮光布付き帽子を使用者が装着したときに、鼻の位置にくるため、遮光布上端部の凹み４２の底の中央部分に配置され、凹み４２の形状が左右対称であることが好ましい。また、鼻上布の上端部１９は、直線上である必要はなく、凹んでいてもよいし、若干上方向（顔面に装着したときの上方向）に突き出た形状であってもよい。図２（ａ）に示すように、顔面遮光布付き防止１００を使用者が装着したときに、この遮光布上端部の凹み４２の部分が使用者の「目」の位置に配置されるため、使用者の「目」の部分が顔面遮光布１１に覆われることを効果的に防止でき、視界を良好に保ちながら顔面の日焼けを防ぐことが可能となる。ここで、鼻上布の上端部１９が若干突き出ていると、鼻の上側（目に近い側）まで覆うことが可能になるため好ましい。上記湾曲のさせ方は、顔面遮光布付き防止１００を使用者が装着したときに、使用者の「目」の部分が顔面遮光布１１に覆われることを効果的に防止しながら顔面の日焼けをできるだけ防止できる大きさであることが好ましい。例えば、湾曲形状の深さ（最も上端の位置から最も底の位置までの深さ方向（使用者に装着したときの顔の上下方向）の距離）が、１０ｃｍ以下であることが好ましく、１〜７ｃｍであることが更に好ましく、２〜５ｃｍであることが特に好ましい。また、湾曲形状の横幅（使用者に装着したときの顔の左右方向の距離）が、４０ｃｍ以下であることが好ましく、５〜３０ｃｍであることが更に好ましく、１０〜２５ｃｍであることが特に好ましい。この横幅は湾曲形状の横幅の最も広い部分の値である。
【００３６】
本実施の形態の顔面遮光布付き帽子においては、上述のように、顔面遮光布の鼻上布の上端部１９と、２つの頬布のそれぞれの上端部１８とが接続されているが、上端部だけで接続されていてもよいし、上端部と下端部（上端部に対して反対側の端部）だけが接続されていてもよい。また、上端部が接続され、上端部から下端部に向かって所定の長さだけ接続されない部分（接続されない所定の長さの部分）を形成し、その所定の長さより下側（下端部側）が接続されるようにしてもよい。さらに、鼻上布における上記「接続されない所定の長さの部分」が頬布における「接続されない所定の長さの部分」より長いことが好ましい。つまり、鼻上布における接続されていない部分の長さが、頬布における接続されていない部分の長さより長いことにより、鼻上布が長い分だけ弛むように形成されることが好ましい。この場合、上記「接続されない所定の長さの部分」が、顔面遮光布付き帽子を使用者に装着したときに、鼻の上に位置し、上述したように呼吸時の空気の流れを良好にする役割を果たす。特に、上記鼻上布に弛みをつけることによりより空気の流れを良好にすることが可能となる。上記「接続されない所定の長さ」は、呼吸時の空気の流れを良好にすることができれば特に制限はないが、１〜３０ｃｍであることが好ましく、５〜２５ｃｍであることが更に好ましく、１０〜２０ｃｍであることが特に好ましい。
【００３７】
本実施の形態の顔面遮光布付き帽子は、図１（ｂ）に示す顔面遮光布１１の鼻上布の上端部１９と、２つの頬布の上端部１８とが、直接接続されていてもよいが、上端補強部２２を介して接続されていてもよい。上端補強部２２を介して接続されているとは、頬布の上端部１８と鼻上布の上端部１９とが直接には結合されずに、頬布の一の辺１４と鼻上布の長辺１５とが接するか互いに近くに位置する状態で、上端補強部２２により、頬布の上端部１８と鼻上布の上端部１９とが固定された状態をいう。
【００３８】
図３は、本考案の顔面遮光布付き帽子の他の実施の形態を構成する顔面遮光布の表面を模式的に示す平面図である。図３に示す顔面遮光布１１は、２枚の頬布間の間隔４３が鼻上布の２つの長辺間の距離（幅方向長さ）４４より短い形態を示している。本考案の顔面遮光布付き帽子においては、図１（ｂ）に示すように、２枚の頬布間の間隔４３と鼻上布の幅方向長さ４４とが同じ長さであってもよいし、鼻上布の幅方向長さ４４のほうが２枚の頬布間の間隔４３より長くてもよい。鼻上布の幅方向長さ４４は、２枚の頬布間の間隔４３の１〜３倍であることが好ましく、１．２〜２．５倍であることが更に好ましく、１．５〜２倍であることが特に好ましい。また、鼻上布１３は、図１（ｂ）に示されるように、２枚の頬布間に配設されるか、又は、図３に示されるように、顔面遮光布１１を表面側からみたときに、鼻上布１３が頬布１２の上側に重なっていることが好ましい。鼻上布１３が頬布１２の上側（表面側）から重なることにより、顔面遮光布１１がその表面側を外側に向けて帽子部に装着されたときに、鼻上布１３が頬布１２の外側に位置するようになる。これにより、鼻上布１３と頬布１２との間から太陽光が入り込むことを効果的に防止することが可能となり、且つ、呼吸時の空気の流れを効果的に良好にすることが可能となる。
【００３９】
図４は、本考案の顔面遮光布付き帽子の他の実施の形態を構成する顔面遮光布の表面を模式的に示す平面図である。図４に示すように、鼻上布１３には、鼻上布用補強４５を２本の長辺に沿って１本ずつ配設されていることが好ましい。鼻上布用補強４５を鼻上布１３に配設することにより、鼻上布の形状をより安定させ、鼻上布１３と頬布１２との隙間をより安定的に形成することが可能となる。鼻上布用補強４５は、図４に示すように、鼻上布の上端部１９に接するように配設されていることが好ましい。鼻上布用補強４５の長さは、特に限定されないが、上記鼻上布と頬布とを接続するときの鼻上布における「接続されない所定の長さの部分」に対応する長さであることが好ましい。これにより、鼻上布と頬布との隙間をより安定して形成することが可能となる。また、上記「接続されない所定の長さの部分」が形成されないときには、鼻上布の長辺の長さの０．１〜１倍が好ましく、０．２〜０．９倍が更に好ましく、０．３〜０．８倍が特に好ましく、０．４〜０．７倍が最も好ましい。鼻上布用補強４５の太さは材質によっても異なり、特に限定されるものではないが、１〜１０ｍｍが好ましく、２〜８ｍｍが更に好ましく、３〜７ｍｍが特に好ましい。鼻上布用補強４５の材質としては、ゴム、プラスチック、木、竹、金属等を使用することができる。図４に示すように、鼻上布１３は、鼻上布１３の幅方向の中央部を長手方向に伸びるように配設された鼻上布用補強４６を有してもよい。鼻上布用補強４６の好ましい構成は、配設される位置が異なるだけで、上記鼻上布用補強４５と同じであることが好ましい。図４に示すように、鼻上布用補強４５と鼻上布用４６は、両方が配設されてもよいし、片方だけが配設されてもよい。また、図４に示すように、鼻上布１３は、両端が鼻上布用補強４５の先端に接続され、中央部が鼻上布用補強４６の先端に接続された鼻上布用補強４７を有してもよい。鼻上布用補強４７の材質及び太さは鼻上布用補強４５と同じであることが好ましい。鼻上布用補強４７は、鼻上布用補強４５及び／又は鼻上布用補強４６と共に使用することが好ましい。
【００４０】
本考案の顔面遮光布付き帽子を構成する頬布及び鼻上布は、紫外線カット加工された布であることが特に好ましい。これにより、紫外線を良好に遮光することが可能となる。紫外線カット加工とは、布を通過する紫外線量を減らすように紫外線吸収物質等を布にコーティングしたり繊維に練り込んだりすることである。紫外線カット加工の方法は特に限定されず、通常、布や繊維に施される加工方法でよい。紫外線吸収物質としては、セラミック微粒子や芳香族化合物等を使用することができる。また、素材としては、綿１００％であることが好ましく、綿と他の繊維との混紡であってもよい。綿を使用することにより、顔面遮光布が肌に優しく、更に通気性を良好にすることが可能となる。他の繊維としては、麻、ナイロン、ポリエステル等を使用することができる。この場合、綿の使用割合は、多いほど好ましく、５０％以上であることが好ましい。
【００４１】
遮光布側貼付部は、顔面遮光布と帽子部とを着脱自在に貼り付けることができれば、特に限定されるものではなく、メカニカルファスナー、ボタン（帽子部側にボタンが付いている場合は、ボタンを留める孔又はループ）、ホック、フック等を使用することが可能である。このとき、帽子側貼付部には、これらと貼付可能な貼付部材を使用する。フックとしては、例えば、図６に示すような、板状の金属又は樹脂の先端部分を折り返した形状のものを使用することができるが、これに限定されるものではない。顔面遮光布に取り付けて、帽子部側に掛けるようにして取り付けることができればよい。図６に示すフック（遮光布側貼付部２０）は、図５に示すように、顔面遮光布１１の上端補強部２２における両端部分に上記折り返した部分を上側に向けて取り付けることが好ましい。この場合、図５に示すように折り返した部分が表側に向かって折り返されていることが好ましいが、裏側に向かって折り返されてもよい。ここで、図５は、本考案の顔面遮光布付き帽子の他の実施の形態を構成する顔面遮光布の表面を模式的に示す平面図であり、図６は、フック状の遮光布側貼付部２０を模式的に示した斜視図である。図６に示すようなフック形状の遮光布側貼付部２０を使用した場合には、帽子側貼付部としては、帯状の、布やプラスチック等を使用することが好ましい。そして、帯状の布等を、その長手方向を帽子部の周方向（頭の前側から横側を通って後ろ側に回る方向）に沿わせて配置し、その帯状の布等の両端部分を帽子部に貼り付け又は縫い付け、中央部分が帽子部と密着しない（貼り付け又は縫い付けしない）ようにし、その中央部分にフック形状の遮光布側貼付部２０の上記折り返した部分を掛けるようにすることが好ましい。また、以下に示すように、帽子部としてサンバイザーを使用する場合には、サンバイザーに上記帯状の布やプラスチックを取り付けてもよいが、図７に示すように、サンバイザーの頭部５１の側頭部分（頭の横側）を帽子側貼付部として使用し、サンバイザイーの頭部５１の側頭部分に直接掛けることも好ましい。また、上記メカニカルファスナーは、シート状の基材表面に配設された多数の微小突起を有するフックと、シート状の基材表面に配設されたこのフックと噛み合うループとの組み合わせにより貼り付けを行うものである。遮光布側貼付部としては、フック又はループのいずれを使用してもよく、他方を帽子側貼付部に使用することで着脱自在に貼り付けることが可能となる。メカニカルファスナーとしては、通常使用されているものを使用することができる。例えば、フックを形成する場合には、微小突起の形状はＴ字型、マッシュルーム型、鉤型等とすることができ、その材質としては、ポリプロピレン、ポリエステル、ナイロン等を使用することができる。また、ループを形成する場合には、織布、不織布等を使用することができ、材質としては、ポリプロピレン、ポリエチレン、ポリエステル、ナイロン等を使用することができる。
【００４２】
図１（ｂ）に示す、遮光布側貼付部２０の頬布の上端部１８に沿う方向（横方向）の長さが、１〜１０ｃｍであることが好ましく、２〜８ｃｍであることが更に好ましく、３〜７ｃｍであることが特に好ましく、５ｃｍであることが最も好ましい。また、遮光布側貼付部２０の上端部１８と直交する方向（縦方向）の長さが、０．５〜４ｃｍであることが好ましく、０．７〜３ｃｍであることが更に好ましく、１ｃｍであることが特に好ましい。このような大きさとすることにより、操作性や装着感を良好にしながら貼付強度を十分強力にすることが可能となる。遮光布側貼付部としてボタン等のシート状ではないものを使用する場合には、上記範囲全体に渡るようにボタン等を１つ又は複数個装着することが好ましい。
【００４３】
２つの遮光布側貼付部２０の色がそれぞれ異り、２つの帽子側貼付部の色がそれぞれ貼り付けられる遮光布側貼付部２０の色と同じであることが好ましい。貼り付ける貼付部同士の色を同じとすることにより、顔面遮光布を帽子部に装着するときに、遮光布側貼付部と帽子側貼付部との色を見るだけで、顔面遮光布の向きを合わせることができるため、装着作業が簡便になる。ここで、遮光布側貼付部の色が異なるというときは、遮光布側貼付部の色が一色である場合は、その色が異なることを示し、複数の色が付されている場合には複数の色のそれぞれが異なってもよい。また、複数の色が付されている場合には、その一部だけが異なっていてもよい。この場合、その異なる一部の色により２つの（左右の）遮光布側貼付部が区別できればよい。一部の色が異なる場合の例としては、同じ色の２つの遮光布側貼付部にワンポイントの色を付することや、異なる色の小さい布（例えばリボン）等を、遮光布側貼付部と共に顔面遮光布に取り付けること等が挙げられる。
【００４４】
図１（ｂ）に示すように、顔面遮光布１１の２つの頬布１２のそれぞれの上端部１８から他方の端部（下端部）３５の方向に向けてタック（頬布タック）３１が形成されていることが好ましい。頬布タック３１の本数は特に限定されるものではないが、各頬布１２において、１〜４本であることが好ましい。頬布タック３１の長さは特に限定されるものではないが、例えば、頬布１２の上端部１８から下端部３５までの距離の０．１〜０．９倍であることが好ましく、０．２〜０．７倍であることが更に好ましく、０．３〜０．６倍であることが特に好ましい。また、鼻上布１３の上端部１９から他方の端部（下端部）３６の方向に向けてタック（鼻上布タック）３７が形成されていることが好ましい。これにより、顔面遮光布を立体的に仕上げ、使用者の顔面に、よりフィットさせることが可能となる。鼻上布タック３７の本数は特に限定されるものではないが、１〜４本が好ましい。鼻上布タック３７の長さは特に限定されるものではないが、例えば、鼻上布１３の長辺方向の長さの０．１〜０．９倍であることが好ましく、０．２〜０．７倍であることが更に好ましく、０．３〜０．６倍であることが特に好ましい。
【００４５】
図１（ｂ）に示すように、一方の頬布の下端部３５における、鼻上布１３に接する側に対して反対側の端部（外側端部）にボタン３３が装着され、他方の頬布の下端部３５における鼻上布１３に接する側に対して反対側の端部（外側端部）にボタンを留めることができるループ状の紐（ボタン留め用紐）３４が装着されていることが好ましい。上記ボタン３３とボタン留め用紐３４とが装着される位置は、顔面遮光布１１の下端部分における両端部ということになる。ループ状のボタン留め用紐３４の代わりに、ボタンを留める孔が形成されてもよい。このように、顔面遮光布の下端部分の両端にそれぞれボタン３３とボタン留め用紐３４とが取り付けられているため、図９に示すように、顔面遮光布付き帽子１００を使用者が装着したときに、使用者の首の後ろで、このボタン３３と紐３４とを留めることにより顔面遮光布１１を安定的に使用者に取り付けることが可能となる。ボタンの大きさは、特に限定されることはなく、例えば直径０．５〜５ｃｍのものを使用することができる。また、ボタンの代わりに、メカニカルファスナー、ホック等を使用してもよい。
【００４６】
図１（ｂ）に示すように、２本の紐（鼻上布用紐）３２を、鼻上布１３に取り付けることが好ましい。２本の鼻上布用紐３２は、それぞれの一方の端部が鼻上布の上端部１９に接続されることにより取り付けられることが好ましい。この、２本の鼻上布用紐３２は、図８に示すように、２本で鼻上布１３を挟むようにしながら鼻上布１３の裏側にまわし、鼻上布１３の裏側で２本を交差させ、２本の先端側を再び鼻上布１３を挟むようにしながら鼻上布１３の裏側から表側にまわし、鼻上布１３の表側で先端部分を結ぶことが好ましい。２本の鼻上布用紐３２をこのように配設することにより、鼻上布１３と２枚の頬布１２との間に鼻上布用紐３２が挟まる状態（頬布１２と鼻上布１３との間の隙間４１（図２（ａ）参照）に鼻上布用紐３２を通した状態）になる。このため、鼻上布１３と２枚の頬布１２との間に隙間が確実に形成され、本実施の形態の顔面遮光布付き帽子を使用者が装着したときに、呼吸時の空気の流れをより良好にすることが可能となる。鼻上布用紐３２の長さは、図８に示すような結び方ができれば特に限定されるものではないが、鼻上布１３の長辺方向長さの０．４〜１．０倍が好ましく、０．５〜０．９倍が更に好ましく、０．６〜０．８倍が特に好ましい。鼻上布用紐３２の材質としては、特に限定されず、軟らかい紐が形成されていればよい。例えば、綿、麻、絹、ポリエステル、ナイロン、その他の化学繊維等を挙げることができる。
【００４７】
図１（ｂ）に示す本実施の形態の顔面遮光布付き帽子を構成する顔面遮光布１１において、鼻上布１３の長辺方向（長手方向）の長さは、特に限定されるものではなく、使用者の顔面の長さや服装に合わせて日焼けを防止できるように適宜選択することが可能である。例えば、１０〜５０ｃｍであることが好ましく、１５〜４０ｃｍであることが更に好ましく、２０〜３５ｃｍであることが特に好ましい。
【００４８】
また、顔面遮光布１１において、一つの頬布１２の横幅（頬布の一の辺１４に直交する方向における長さ）は、特に限定されるものではなく、使用者の顔面の大きさに合わせて日焼けを防止できるように適宜選択することが可能である。例えば、１０〜５０ｃｍであることが好ましく、１５〜４０ｃｍであることが更に好ましく、２０〜３０ｃｍであることが特に好ましい。頬布１２の上端部１８における幅と下端部３５における幅とが異なる長さである場合は、上端部１８と下端部３５のそれぞれにおける幅の平均値が上記範囲であることが好ましい。また、上端部１８が湾曲している場合には、遮光布上端部２１における両端部間の距離を上端部１８の幅とする。
【００４９】
更に、一つの頬布１２の縦方向長さ（頬布の一の辺１４の伸びる方向における長さ）は、特に限定されるものではなく、使用者の顔面の大きさに合わせて日焼けを防止できるように適宜選択することが可能である。例えば、１０〜５０ｃｍであることが好ましく、１５〜４０ｃｍであることが更に好ましく、２０〜３０ｃｍであることが特に好ましい。上端部１８が湾曲している場合には、下端部３５から上端部１８に向かう方向を上方向としたときに、上端部１８の中で最も上側に位置する部分から下端部３５までの距離を上記縦方向長さとする。また、頬布の下端部３５が頬布の一の辺１４の伸びる方向に垂直に直線上に伸びる形状ではない場合には、上記上方向に対して反対方向を下方向としたときに、頬布の下端部３５の中で最も下側に位置する部分を上記縦方向長さを決定するときの下端部３５とする。このように形成される２枚の頬布１２は、鼻上布１３を中心として左右対称の形状であることが好ましい。
【００５０】
図１（ａ）に示す帽子部１は、遮光布側貼付部２０を着脱自在に貼り付けることが可能な貼付部（帽子側貼付部）２が両側頭部分３に配設されたものである。そして、顔面遮光布１１を装着する場合には、顔面遮光布１１の鼻上布１３を前頭部分４側に向けて、２つの帽子側貼付部２のそれぞれに２つの遮光布側貼付部２０を１つずつ貼り付けることにより装着する。
【００５１】
図１（ａ）及び図２（ａ）、図２（ｂ）に示すように、本実施の形態の顔面遮光布付き帽子１００の帽子部１は、全周鍔５付きであることが好ましいが、これに限定されるものではない。例えば、前頭部分（前側）だけに鍔が付いていてもよい。全周に鍔５が付いている場合には、側頭部分（頭の横側）及び後頭部分（頭の後ろ側）の鍔は小さいほうが好ましい。特に、自動車の車内で使用するときには、側頭部分及び後頭部分の鍔が大きく、特に横に広がっていると、運転の妨げになることがある。鍔５を付けると、使用者の顔面の「目」周辺の露出部分の日焼けを効果的に防止することが可能となるため好ましい。また、帽子側貼付部２が、帽子部１の内側に配設されていることが好ましい。また、帽子側貼付部２が、帽子部１の鍔５に配設されていることが好ましい。帽子側貼付部２が、帽子部１の内側に配設することにより、鍔５が外側に向かって広がっているときでも容易に顔面遮光布１１を装着でき、また、外部からの見栄えも良好となる。また、帽子部１としては、図７に示すように、サンバイザーを使用してもよい。サンバイザーを使用することにより、帽子部１をより軽くすることができる。また、帽子で頭髪を押さえ付けたくない場合等にサンバイザーが有効である。ここで、図７は、本考案の顔面遮光布付き帽子１００の他の実施の形態（帽子部１をサンバイザーとしたもの）を使用者が装着した状態を模式的に示す側面図である。ここで、サンバイザーとは、図７に示すように、使用者の頭にのせる環状のサンバイザー頭部５１に鍔５が配設されたものである。サンバイザーの頭部５１というときは、図７に示すように、頭の周囲に配置させる帯状の部材を環状に形成したものをいう。また、サンバイザイーの頭部５１はこのように、環状であってもよいが、使用者の後頭部に位置する部分がないＵ字状のもので、前頭部から側頭部にかけて装着されるものであってもよい。
【００５２】
帽子部１の鍔５の内側の色は、黒色、又はその他の色についての暗色であることが好ましい。これにより、紫外線の反射を少なくし、使用者の「目」の周囲の僅かに露出した部分の日焼けを抑制することが可能となる。黒色以外の色としては、青色、紺色、紫色、茶色、緑色、赤色等を使用することができる。また、鍔５の幅は、特に限定されるものではなく、太陽光を遮ることができればよい。例えば、１〜１５ｃｍが好ましく、２〜１３ｃｍが更に好ましく、３〜１１ｃｍが特に好ましく、５〜１０ｃｍが最も好ましい。
【００５３】
帽子部１の材質は、特に限定されるものではなく、通常の帽子の形状のものであれば、太陽光を遮るために通常帽子の材質として使用されるものであればよい。また、サンバイザイーであれば、通常のサンバイザーの材質として使用されるものであればよい。また、帽子部１の大きさは、特に限定されるものではなく、通常帽子として製造されている大きさであればよい。
【００５４】
図１（ａ）、図１（ｂ）に示す、本実施の形態の顔面遮光布付き帽子の製造方法は特に限定されるものではない。図１（ａ）に示す帽子部は、所望の形状の帽子又はサンバイザーを所望の材質で通常の帽子製造方法により製造することができる。帽子側貼付部は、例えばメカニカルファスナーを所定の大きさに切断し、帽子部の左右の側頭部の裏側に縫い付けるか又は接着剤で貼り付ける。使用する接着剤は特に限定されるものではない。
【００５５】
また、図１（ｂ）に示す顔面遮光布は、鼻上布、頬布及び遮光布側貼付部を、所望の材質を所望の形状に切断することにより作製し、それぞれを所定の配置に縫い付けるか又は接着剤で貼り付ける。使用する接着剤は特に限定されるものではない。また、必要に応じて、上端補強部や鼻上布用紐を、所望の材質を所望の形状に切断することにより作製し、それぞれを所定の配置に縫い付けるか又は接着剤で貼り付ける。更に、ボタン及びボタン留め用紐を所定の位置に縫い付けるか又は接着剤で貼り付けてもよい。
【００５６】
本考案の顔面遮光布は、上述した本考案の顔面遮光布付き帽子を構成する顔面遮光布と同様の構成である。そのため、本考案の顔面遮光布を、上述した帽子部、又は、一般に使用されている帽子又はサンバイザーに所定の貼付部（遮光布側貼付部を貼り付けることが可能な貼付部）を取り付けたもの、に装着して使用することができ、それにより、外出時、特に自動車又は自転車の運転時に、顔面の日焼けを帽子することができる。本考案の顔面遮光布を市販のサンバイザーに取り付ける場合には、図６に示すようなフック（遮光布側貼付部２０）を図５に示すように取り付けて、図７に示すように、サンバイザーの側頭部分にフックを掛けることにより取り付けることが好ましい。このようにすることにより、サンバイザーに何の加工も施さずに本校案の顔面遮光布を取り付けることが可能となる。この場合においても、フックの形状は特に限定されない。また、フック状でなくても、例えば、安全ピンを使用したり、単なる紐を使用してもよい。単なる紐の場合には、その紐をサンバイザーに縛り付ければよい。
【産業上の利用可能性】
【００５７】
以上説明したように、本考案の顔面遮光布付き帽子及び顔面遮光布は、外出時、特に自動車又は自転車の運転時の顔面の日焼けを防止するために利用することができる。
【図面の簡単な説明】
【００５８】
【図１】本考案の顔面遮光布付き帽子の一の実施の形態を、顔面遮光布と帽子部とに分離した状態で模式的に示したものであり、図１（ａ）は帽子部を示す正面図、図１（ｂ）は顔面遮光布の表面を示す平面図である。
【図２】本考案の顔面遮光布付き帽子の一の実施の形態を、使用者が装着した状態を示す模式図であり、図２（ａ）は側面図、図２（ｂ）は正面図である。
【図３】本考案の顔面遮光布付き帽子の他の実施の形態を構成する顔面遮光布の表面を模式的に示す平面図である。
【図４】本考案の顔面遮光布付き帽子の他の実施の形態を構成する顔面遮光布の表面を模式的に示す平面図である。
【図５】本考案の顔面遮光布付き帽子の他の実施の形態を構成する顔面遮光布の表面を模式的に示す平面図であり、
【図６】フック状の遮光布側貼付部を模式的に示した斜視図である。
【図７】本考案の顔面遮光布付き帽子の他の実施の形態（帽子部をサンバイザーとしたもの）を使用者が装着した状態を模式的に示す側面図である。
【図８】本考案の顔面遮光布付き帽子の他の実施の形態を構成する顔面遮光布の表面を模式的に示す平面図である。
【図９】本考案の顔面遮光布付き帽子の一の実施の形態を使用者が装着した状態における、使用者の後頭部側を示す模式図である。
【符号の説明】
【００５９】
１…帽子部、２…帽子側貼付部、３…側頭部分、４…前頭部分、５…鍔、１１…顔面遮光布、１２…頬布、１３…鼻上布、１４…頬布の一の辺、１５…鼻上布の長辺、１６…頬布の一の辺の上端部、１７…鼻上布の長辺の上端部、１８…頬布の上端部、１９…鼻上布の上端部、２０…遮光布側貼付部、２１…遮光布上端部、２２…上端補強部、３１…頬布タック、３２…鼻上布用紐、３３…ボタン、３４…ボタン留め用紐、３５…頬布の下端部、３６…鼻上布の下端部、３７…鼻上布タック、４１…頬布と鼻上布との間の隙間、４２…遮光布上端部の凹み、４３…２枚の頬布間の間隔、４４…鼻上布の幅方向長さ、４５，４６，４７…鼻上布用補強、５１…サンバイザーの頭部、１００…顔面遮光布付き帽子。
【図１】
0003112416.tif 000003
【図２】
0003112416.tif 000004
【図３】
0003112416.tif 000005
【図４】
0003112416.tif 000006
【図５】
0003112416.tif 000007
【図６】
0003112416.tif 000008
【図７】
0003112416.tif 000009
【図８】
0003112416.tif 000010
【図９】
0003112416.tif 000011